(57)【要約】【課題】異なる幅の基板を所定の位置に配置でき、かつ、一体成形で製造できる樹脂形成キャビネットまたは、樹脂形成キャビネットを具備するブラウン管型テレビジョン装置の提供を課題とする。【解決手段】基板をシャーシに固定する樹脂成形キャビネットにおいて、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、上記シャーシから延設する第二のガイド部材のシャーシ近傍に上記第二のガイド部材を折れ易くするための所定数の貫通穴を形成する。【選択図】図３
0003119793.tif 000002
【実用新案登録請求の範囲】
【請求項１】
映像を表示するブラウン管と、
音声を出力するスピーカと、
テレビジョン放送を受信するチューナーと、
上記チューナーから入力されるテレビジョン放送信号を基に映像信号と音声信号を生成して、上記映像信号をブラウン管に出力するとともに、上記音声信号をスピーカに出力する所定幅の基板と、
前方に映像を表示するための開口部を形成する矩形枠状のフロントキャビネットと、上記フロントキャビネットの下方にて内壁から後方に延設するよう形成され、上記基板を配置するための平面を有するシャーシ部と、上記フロントキャビネットの後方に接続するバックキャビネットとから構成され、所定幅の基板を同基板の幅方向両端を挟み込むようにして支持することで、同基板を上記シャーシの所定の位置に配設する樹脂成形キャビネットとを具備するブラウン管型テレビジョン装置において、
上記シャーシから上方へ延設するよう形成され、上記所定幅の基板の幅方向両端で対となって上記基板を挟み込むよう支持する第一のガイド部材対と、
上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、
上記第二のガイド部材は、上記シャーシから延設するシャーシ近傍に上記第二のガイド部材を折れ易くするための複数の貫通穴を形成し、
上記第一のガイド部材対の略先端部には、同第一のガイド部材対が向かい合う厚み方向に、上記シャーシと略水平に延設するよう形成される第一のレールと、上記第一のレールより上記基板の略厚み分だけ下方に位置し、上記シャーシと略水平に延設するよう形成される第二のレールとを有し、
上記第二のガイド部材の略先端部には、上記第一のガイド部材対の少なくとも一方と向かい合う厚み方向に、上記シャーシと略水平に延設するよう形成される第三のレールと、上記第三のレールより上記基板の略厚み分だけ下方に位置し、上記シャーシと略水平に延設するよう形成される第四のレールとを有し、
上記フロントキャビネットの内壁下方には、上記所定幅の基板の前方を固定する第一の固定部を有し、
上記バックキャビネットの内壁下方には、上記所定幅の基板の後方を固定する第二の固定部を有し、
上記第二のガイド部材は上記シャーシより斜めに延設するよう形成されることを特徴とするとするブラウン管型テレビジョン装置。
【請求項２】
基板を配置するための平面を有するシャーシを有し、上記基板を同シャーシに固定する樹脂成形キャビネットにおいて、
上記シャーシから上方へ延設するよう形成され、上記所定幅の基板の幅方向両端で対となって上記基板を挟み込むよう支持する第一のガイド部材対と、
上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、
上記シャーシから延設する第二のガイド部材のシャーシ近傍に上記第二のガイド部材を折れ易くするための所定数の貫通穴を形成することを特徴とする樹脂成形キャビネット。
【請求項３】
上記第一のガイド部材対の略先端部には、
同第一のガイド部材対が向かい合う厚み方向に、上記シャーシと略水平に延設するよう形成される第一のレールと、
上記第一のレールより上記基板の略厚み分だけ下方に位置し、上記シャーシと略水平に延設するよう形成される第二のレールとを有し、
上記第二のガイド部材の略先端部には、
上記第一のガイド部材対の少なくとも一方と向かい合う厚み方向に、上記シャーシと略水平に延設するよう形成される第三のレールと、
上記第三のレールより上記基板の略厚み分だけ下方に位置し、上記シャーシと略水平に延設するよう形成される第四のレールとを有することを特徴とする請求項２に記載の樹脂形成キャビネット。
【請求項４】
上記第二のガイド部材は上記シャーシより斜めに延設するよう形成されることを特徴とする請求項２または請求項３のいずれかに記載の樹脂形成キャビネット。
【請求項５】
上記フロントキャビネットの内壁下方には、上記所定幅の基板の前方を固定する第一の固定部を有し、
上記バックキャビネットの内壁下方には、上記所定幅の基板の後方を固定する第二の固定部を有することを特徴とする請求項２〜請求項４のいずれかに記載の樹脂形成キャビネット。
【考案の詳細な説明】
【技術分野】
【０００１】
本考案は、ブラウン管型テレビジョン装置または、樹脂形成キャビネットに関し、特に、異なる大きさの基板を所定の位置に配置するブラウン管型テレビジョン装置または、樹脂形成キャビネットに関する。
【背景技術】
【０００２】
テレビジョン装置等の筐体は通常樹脂成形されたキャビネットで構成され、上記テレビジョン装置の電気回路はプリント基板上にてプリント配線され、上記プリント基板は上記キャビネットで構成される筐体内に配設される。従来、キャビネット内にプリント基板を配設するためには、上記筐体内の所定位置にプリント基板の幅方向両端を上下から支持するレールを設け、同プリント基板の両端をレールに挿入してガイドさせつつ所定の位置に配設していた。
【０００３】
周知のように、テレビジョン装置に代表されるような電子機器においては、プリント基板等の基板が多数使用されている。また、基板の用途に応じてその大きさもさまざまであり、基板の大きさを変更する場合、キャビネットも新たに作り直す必要があった。また、同一の筐体で機能の異なる基板を組み替えてテレビジョン装置の機能の違う製品を作り出す場合、同様に、外観が同様で、基板を固定する部分のみを変更したキャビネットを作り直す必要があった。
【０００４】
上記した大きさの異なる基板の形状に対応するために、筐体内で第一のガイド部材対で所定幅の基板を支持可能としつつ、上記第一のガイド部材対の内側に同第一の部材対より短い第二のガイド部材を形成し、第一のガイド部材の少なくとも一方と第二のガイド部材とで所定の幅の基板を支持可能とする方法が知られている（例えば特許文献１参照。）。
【０００５】
また、筐体内に幅方向で基板の両端を支持するガイド部材対を備え、上記ガイド部材対の先端が伸縮自在とすることで大きさの異なる基板の形状に対応する方法が知られている（例えば特許文献２参照。）。
【０００６】
また、筐体内に幅方向で基板の両端を支持するガイド部材を備え、上記基板ガイドの一方をレールにて、基板の幅方向に可動可能とすることにより大きさの異なる基板に対応する方法が知られている（例えば特許文献３参照。）。
【０００７】
【特許文献１】登録実用新案公報３０６８４６１
【特許文献２】特開平１０−１９０２５８
【特許文献３】特開平１１−３０７９６５
【考案の開示】
【考案が解決しようとする課題】
【０００８】
上述した特許文献１に記載の考案においては、次のような課題があった。すなわち、第一のガイド部材対の内側に位置する第二のガイド部材はその長さが上記第一のガイド部材対よりも短いとはいえ、奥行き方向の長さが大きい基板を第一のガイド部材で支持する場合においては、第二のガイド部材は邪魔となっていた。
【０００９】
また、上述した特許文献２と特許文献３に記載の考案においては、次のような課題があった。すなわち大きさの異なる基板を支持するのに筐体の大きさは一つで可能となったが、基板を固定するためのガイド部材は一体成形されていないため、新たな金型を起こす必要があった。 
【００１０】
本考案は、上記課題にかんがみてなされたもので、異なる幅の基板を所定の位置に配置でき、かつ、一体成形で製造できる樹脂形成キャビネットまたは、樹脂形成キャビネットを具備するブラウン管型テレビジョン装置の提供を目的とする。
【課題を解決するための手段】
【００１１】
上記課題を解決するために、請求項１に記載の考案は、映像を表示するブラウン管と、音声を出力するスピーカと、テレビジョン放送を受信するチューナーと、上記チューナーから入力されるテレビジョン放送信号を基に映像信号と音声信号を生成して、上記映像信号をブラウン管に出力するとともに、上記音声信号をスピーカに出力する所定幅の基板と、前方に映像を表示するための開口部を形成する矩形枠状のフロントキャビネットと、上記フロントキャビネットの下方にて内壁から後方に延設するよう形成され、上記基板を配置するための平面を有するシャーシ部と、上記フロントキャビネットの後方に接続するバックキャビネットとから構成され、所定幅の基板を同基板の幅方向両端を挟み込むようにして支持することで、同基板を上記シャーシの所定の位置に配設する樹脂成形キャビネットとを具備するブラウン管型テレビジョン装置において、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、上記第二のガイド部材は、上記シャーシから延設するシャーシ近傍に上記第二のガイド部材を折れ易くするための複数の貫通穴を形成し、上記第一のガイド部材対の略先端部には、同第一のガイド部材対が向かい合う厚み方向に、上記シャーシと略水平に延設するよう形成される第一のレールと、上記第一のレールより上記基板の略厚み分だけ下方に位置し、上記シャーシと略水平に延設するよう形成される第二のレールとを有し、上記第二のガイド部材の略先端部には、上記第一のガイド部材対の少なくとも一方と向かい合う厚み方向に、上記シャーシと略水平に延設するよう形成される第三のレールと、上記第三のレールより上記基板の略厚み分だけ下方に位置し、上記シャーシと略水平に延設するよう形成される第四のレールとを有し、上記フロントキャビネットの内壁下方には、上記所定幅の基板の前方を固定する第一の固定部を有し、上記バックキャビネットの内壁下方には、上記所定幅の基板の後方を固定する第二の固定部を有し、上記第二のガイド部材は上記シャーシより斜めに延設するよう形成されることを特徴とするブラウン管型テレビジョン装置。
【００１２】
ようするに、本考案のブラウン管型テレビジョン装置は、ブラウン管と、スピーカと、チューナーと、基板と、フロントキャビネットとバックキャビネットとシャーシにて構成される樹脂成形キャビネットとを具備し、上記基板を上記シャーシの所定の位置に配置する。
【００１３】
上記基板を上記シャーシに配置するために、上記樹脂形成キャビネットは、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備するとともに、上記第二のガイド部材は、上記シャーシから延設するシャーシ近傍に上記第二のガイド部材を折れ易くするための複数の貫通穴を形成する構造である。
【００１４】
また、上記第一のガイド部材対の略先端部には、同第一のガイド部材対が向かい合う厚み方向に、上記シャーシと略水平に延設するよう形成される第一のレールと、上記第一のレールより上記基板の略厚み分だけ下方に位置し、上記シャーシと略水平に延設するよう形成される第二のレールとを有する。
【００１５】
上記第二のガイド部材の略先端部には、上記第一のガイド部材対の少なくとも一方と向かい合う厚み方向に、上記シャーシと略水平に延設するよう形成される第三のレールと、上記第三のレールより上記基板の略厚み分だけ下方に位置し、上記シャーシと略水平に延設するよう形成される第四のレールとを有する。
【００１６】
また、上記フロントキャビネットと上記バックキャビネットの内壁には、上記所定幅の基板の奥行き方向両端を固定する固定部を有し、上記第二のガイド部材は上記シャーシより垂直または、斜めに延設するよう形成されている。
【００１７】
上記構成において、上記幅の大きい基板を支持するときは、上記複数の貫通穴を用いて上記第二のガイド部材を切除した後、上記基板の幅方向両縁部周辺を上記第一のガイド部材の第一のレールと第二のレールとの間に挿入して支持し、上記幅の小さい基板を支持するときは、上記基板の幅方向両縁部周辺を上記第一のガイド部材の少なくとも一方が有する上記第一のレールと上記第二のレールとの間と、上記第二のガイド部材の上記第三のレールと上記第四のレールとの間に挿入して支持し、上記方法にて、上記基板を第一のガイド部材対または、第二のガイド部材により支持した後、上記所定幅の基板の前後方向両端を上記フロントキャビネットの第一の固定部と上記バックキャビネットの第二の固定部で固定することで、上記所定幅の基板を上記樹脂形成キャビネットの所定の位置に固定する構造である。
【００１８】
また、請求項２に記載の考案は、基板を配置するための平面を有するシャーシを有し、上記基板を同シャーシに固定する樹脂成形キャビネットにおいて、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、上記シャーシから延設する第二のガイド部材のシャーシ近傍に上記第二のガイド部材を折れ易くするための所定数の貫通穴を形成する構成である。
【００１９】
ようするに、請求項２に記載の考案は、基板を配置するための平面を有するシャーシを有し、上記基板を同シャーシに固定する樹脂成形キャビネットである。
【００２０】
上記樹脂形成キャビネットが上記基板を上記シャーシに固定するために、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、上記シャーシから延設する第二のガイド部材のシャーシ近傍に上記第二のガイド部材を折れ易くするための所定数の貫通穴を形成し、上記第一のガイド部材対に対応する所定の幅の基板を支持するときは、上記第二のガイド部材を切除する構造である。
【考案の効果】
【００２１】
以上説明したように請求項１にかかる本考案は、筐体に第一のガイド部材対と第二のガイド部材とを設けるとともに、上記第二のガイド部材に貫通穴を形成しているので、プリント基板の大きさの変化に対応可能であり筐体の汎用性を向上させることの可能なブラウン管型テレビジョン装置または、樹脂成形キャビネットを提供することができる。
また、請求項２にかかる考案によれば、電化製品等の筐体に使用して好適な樹脂成形キャビネットを提供することができる。
さらに、請求項３にかかる考案によれば、簡易な構成により種々の基板を支持することができる形成することができる。
さらに、請求項４にかかる考案によれば、簡易な構成により種々の基板を支持することができる形成することができる。
さらに、請求項５にかかる考案によれば、大きさの異なる基板を所定の位置に固定することができさらに汎用性が向上する。
【考案を実施するための最良の形態】
【００２２】
これより以下の項目に従って、本考案の一実施形態であるブラウン管型テレビジョン装置を説明する。
（１）ブラウン管型テレビジョン装置の説明。
（２）本考案のシャーシの構造。
（３）基板配置方法。
（４）実施例１。
（５）まとめ。
【００２３】
（１）ブラウン管型テレビジョン装置の説明。
図１０は本考案の一実施形態であるブラウン管型テレビジョン装置１０の斜視図である。図より、ブラウン管型テレビジョン装置１０は、筐体１と、ブラウン管２と、基板３と、スピーカ４とから構成されている。上記構成において、ブラウン管型テレビジョン装置１０は、テレビジョン放送を受信して、ブラウン管に所定の番組を放送する。
【００２４】
基板３は、チューナーから入力されるテレビジョン放送信号を基に映像信号と音声信号を生成して、上記映像信号をブラウン管に出力するとともに、上記音声信号をスピーカに出力する。図１１は本考案の一実施家形態である基板のブロック構成図である。図より基板３は、チューナ３ａとクロマＩＣ回路３ｂと音声出力部３ｃと映像信号処理部３ｄと駆動回路３ｅと制御部３ｆとから構成されている。
【００２５】
上記構成において、基板を構成する要素は、ＩＩＣバス３ｇによって接続され、制御部３ｆが全体を制御する。例えば、ユーザがリモコン３ｈを介して指示を出すと同指示は一端制御部３ｆに送られ、そこから命令を実行する各構成要素に伝達される。また、制御部３ｆは、映像信号や音声信号に信号処理を行う際の実行プログラムを有しており、ユーザからの指示に基づいて上記実行プログラムを起動することで、各構成要素に信号処理を実行させるよう指示を出す。
【００２６】
チューナ３ａは図示しないアンテナが受信したテレビジョン放送から、ユーザがリモコン３ｈ等で選択した所定の番組に対応するテレビジョン放送信号を検波し、クロマＩＣ回路３ｂに出力する。
【００２７】
クロマＩＣ回路３ｂは、上記チューナ３ａから出力された所定の番組に対応するテレビジョン放送信号から映像信号と音声信号を復調し、上記映像信号を映像信号処理部３ｄに、上記音声信号を音声出力部３ｃにそれぞれ出力する。
【００２８】
映像信号処理部３ｄは、上記入力した映像信号にアナログ／デジタル変換を行うともに、ＲＧＢ各色に対応する映像信号を生成する。その後、上記映像信号にガンマ補正等の信号処理を行った後、上記信号処理を施された映像信号を駆動回路３ｅに出力する。
【００２９】
駆動回路３ｅは、上記信号処理されたＲＧＢの各映像信号を受け取り、同映像信号を基にブラウン管の所定の画素を駆動させるための駆動電圧を生成する。
【００３０】
音声出力部３ｃは、クロマＩＣ回路３ｂから出力された音声信号を受け取り、ユーザがリモコン３ｈ等を用いて指示した命令を基に音声信号を増幅させた後、上記音声信号をスピーカ４に出力する。スピーカ４は上記音声信号を空気振動に変換することで音声を出力する。
【００３１】
ブラウン管２は画面を表示するガラス管の内部にＲＧＢの各色が塗布された蛍光面と、上記蛍光面に電子ビームを放出する電子銃とから構成されている。上記駆動回路３ｅから出力された駆動電圧を基に電子銃は上記蛍光面の所定の位置に電子ビームを放出する。上記ＲＧＢの各色が塗布された蛍光面に上記電子ビームが当たることで、蛍光面はＲＧＢの各色を光らせる。上記発光を組み合わせることで、ブラウン管２は所定の映像を表示させる。
【００３２】
筐体１はフロントキャビネット５とバックキャビネット６から構成されている。筐体１にブラウン管２とスピーカ４と基板３とを収容する方法として、まず、フロントキャビネット５にブラウン管２とスピーカ４をネジ止めする。次に、シャーシ７に基板３を固定した後、フロントキャビネット５とバックキャビネット６をネジ止めする。上記方法にて、ブラウン管２とスピーカ４と基板は、筐体１の所定の位置に配置される。
【００３３】
（２）本考案のシャーシの構造。
図１は、本考案の一実施形態にかかるテレビジョン装置のフロントキャビネットの外観を斜視図により示している。同図において、フロントキャビネット５は筐体１に固定されるブラウン管２の蛍光面を前面外方へ向けるための開口部を有し、本テレビジョン装置の諸機能を実現するための諸回路が備えられた基板３を組み付けるシャーシ７が下方にて内壁から後方に延設するよう形成されている。
【００３４】
シャーシ７の両縁部上には同シャーシ７と略同一長の第一のガイド部材１１、１２が対をなして設けられており、これら第一のガイド部材１１，１２の内側には第二のガイド部材１３が設けられている。図２は上記第一のガイド部材１１の要部を拡大して示している。同図において、第一のガイド部材１１は第一のレール１１ａと第二のレール１１ｂとからなり、第一のレール１１ａは第一のガイド部材１１の略先端部の厚み方向に、シャーシ７と略水平に延設するよう形成される。また第二のレール１１ｂは、上記第一のレールより基板３の略厚み分だけ下方に位置し、上記シャーシと略水平に延設するよう形成される。
【００３５】
また、第一のガイド部材１１は上記シャーシ７上の上記第一のガイド部材１１の反対側の端部において同第一のガイド部材１１と同様の形状でかつ対称に、すなわち、第一のガイド部材１１、１２が互いに対向するように設けられている。
【００３６】
図３は第二のガイド部材１３の要部を拡大して示した図である。第二のガイド部材１３は上記第一のガイド部材１１と同様の形状であって、上記第一のガイド部材１１，１２の内側の第一のガイド部材１１寄りに配設されている。すなわち、第一のガイド部材１２と第二のガイド部材１３とが互いに対向するように設けられている。また、第一のガイド部材１２において第一のレール１２ａ，第二のレール１２ｂに対応するレールを第二のガイド部材１３においてそれぞれ第三のレール１３ａ，第四のレール１３ｂとする。
【００３７】
これらの第一のガイド部材１１，１２および第二のガイド部材１３においては、第一のレール１１ａ、１２ａ、と第二のレール１１ｂ、１２ｂの間に幅がＷ１である基板３を挿入し、第一、第三のレール１２ａ、１３ａと第二、第四のレール１２ｂ、１３ｂとの間に上記幅がＷ１の基板３よりも、幅が小さい幅Ｗ２の基板３を挿入することが可能となっている。従って、第一のガイド部材１１，１２で上記図４に示すように幅Ｗ１の基板を支持することが可能であり、第一のガイド部材１１と第二のガイド部材１３とで上記図５に示すように幅Ｗ２の基板を支持することが可能である。
【００３８】
第一のガイド部材１１、１２を用いて幅Ｗ１の基板３を支持する場合、第一のガイド部材１１、１２の間に位置する第二の部材１３は幅Ｗ１の基板３を支持するのに邪魔となる。そこで、第二のガイド部材１３のシャーシ７近傍に所定数の貫通穴１３ｃ、１３ｄ、１３ｅ形成し、第二のガイド部材を切り取りやすくすることで、容易に幅の異なる基板を支持し易い形状とした。
【００３９】
図３より、第二のガイド部材１３は、側面に貫通穴１３ｃ、１３ｄ、１３ｅを形成している。上記貫通穴１３ｃ、１３ｄ、１３ｅはシャーシ７から第四のレール１３ｂの下方にかけて貫通しており、第二のガイド部材１３はシャーシ７と連結部１３ｆ、１３ｇ、１３ｈでのみ繋がっている。上記構造において、第二のガイド部材を切除する場合は、上記連結部１３ｆ、１３ｇ、１３ｈをニッパー等の工具で切り取るか、または、第二のガイド部材１３を指で折ることにより切除する。
【００４０】
また、第二のガイド部材を図６に示すように、シャーシ７から上方に斜めに延設してもよい。図より、第二のガイド部材１３は、シャーシ７から第四のレール１３ｂ近傍にかけて斜めに延設した後、第四のレール１３ｂから第二のガイド部材１３の先端にかけてシャーシ７と略垂直に延設した形状である。第二のガイド部材１３を斜めに延設させることにより、ニッバー等が進入し易くなり第二のガイド部材１３を切除し易くすることが可能となる。また、上記構造は、第二のガイド部材１３を斜めに延設することで、ニッパー等にて切除し易くするものであればよい。そのため、上記形状に限定されるものではない。
【００４１】
（３）基板配置方法。
これより幅Ｗ１の基板３をシャーシ７に配置する方法を説明する。図４より、第一のガイド部材１１、１２の第一のレール１１ａ、１２ａと第二のレール１１ｂ、１２ｂとの間隔および第一のガイド部材１２の第三のレール１３ａと第四のレール１３ｂとの間隔は基板３の厚さと略同じである。さらに、第一のガイド部対１１、１２の距離Ｌ１は、基板３の幅Ｗ１と略同じである。従って、上記基板３の幅方向両端を上記第一のレール１１ａ、１２ａと第二のレール１１ｂ、１２ｂとの間に挿入させつつ基板３をフロントキャビネット５側へ押し込むことにより、基板３が所定の位置にて支持される。
【００４２】
次に、幅Ｗ２の基板３をシャーシ７に配置する方法を説明する。図５より、基板３の場合と同様にして第一のガイド部材１１の第一のレール１１ａと第二のレール１１ｂとの間および第二のガイド部材１３の第三のレール１３ａと第四のレール１３ｂとの間に基板３の幅方向両端を挿入する。第一のガイド部材１１の第一のレール１１ａと第二レール１１ｂとの間隔も上記基板３の厚さと略同一であり、第一のガイド部材１１と第二のガイド部材１３との距離Ｌ２は基板３の幅Ｗ２と略同じである。従って、上記基板３の幅方向両端を、第一のガイド部材１１の第一のレール１１ａと第二のレール１１ｂとの間と第二のガイド部材１３の第三のレール１３ａと第四のレール１３ｂとの間に挿入させつつ基板３をフロントキャビネット５側へ押し込むことで、この基板３が所定の位置にて支持される。
【００４３】
（４）実施例１
上記のようにフロントキャビネット５は幅がＷ１とＷ２の基板３をシャーシ７に配置するが、本考案の一実施形態であるブラウン管型テレビジョン装置１０では、基板３を筐体１の所定の位置に配置するために、フロントキャビネット５とバックキャビネット６の内壁に基板３を固定するための第一の固定部１４と第二の固定部１５とを有する構造とした。
【００４４】
図７は、フロントキャビネット５に形成される第一の固定部１４の図である。図より、第一の固定部１４は、基板３を固定するために、フロントキャビネット５の開口部の下方の位置にて内壁から後方へ所定の長さだけ延設し、基板３を挿入する溝１４ａを有する断面コの字状の構造である。図より、第一の固定部１４の溝１４ａを形成する上レール１４ｂの高さは、第一のガイド部対１１、１２の第一のレール１１ａ、１２ａと第二のガイド部の第三のレール１３ａと略同じ高さである。また、第一の固定部１４の溝を形成する下レール１４ｃの高さは、第一のガイド部対１１、１２の第二のレール１１ｂ、１２ｂと第二のガイド部の第四のレール１３ｂと略同じ高さである。
【００４５】
図８は、バックキャビネット６に形成される第二の固定部１５の図である。図より、第二の固定部１５は、基板３を固定するために、バックキャビネット６の下方の位置にて内壁から後方へ所定の長さだけ延設し、基板３を挿入する溝１５ａを有する断面コの字状の構造である。図より、第二の固定部１５の溝を形成する上レール１５ｂの高さは、第一のガイド部対１１、１２の第一のレール１１ａ、１２ａと第二のガイド部の第三のレール１３ａと略同じ高さである。また、第二の固定部１５の溝１５ａを形成する下レール１５ｃの高さは、第一のガイド部対１１、１２の第二のレール１１ｂ、１２ｂと第二のガイド部の第四のレール１３ｂと略同じ高さである。
【００４６】
上記構造において、フロントキャビネット５とバックキャビネット６とをねじにて固定した場合、第一の固定部１４の溝１４ａから第二の固定部１５の溝１５ａまでの長さＬ３は、基板３の前後方向の長さと略同等である。また、溝１４ａ、１４ｂの幅は基板３の幅と略同等である。
【００４７】
これより、基板３を筐体１の所定の位置に配置する方法を説明する。なお、幅がＷ１とＷ２の基板３の配置方法は、同一であるためここでは、幅がＷ１の基板３の配置方法のみ説明し、幅がＷ２である基板３の配置方法は省略する。図９は筐体に配置される基板３の図である。図より、第二のガイド部材１３を切除し、第一のガイド部対１１、１２にて基板３の幅方向を支持したのち、フロントキャビネット５の第一の固定部１４の溝１４ａに基板３の前方縁部を挿入する。基板３は第一のガイド部材対１１、１２にて幅方向を支持されているので、基板３をフロントキャビネット５に対して後方からフロントキャビネット５側へ押し込むことにより基板３は溝１４ａに挿入される。
【００４８】
続いて、フロントキャビネット５とバックキャビネット６をネジ止めする。このとき、基板３は、上述したように、第一のガイド部対１１、１２にて幅方向を支持され、第一の固定部１４にて基板３の前方を支持され、ようするに前方と幅方向両端の計三辺を支持されている。また、第一の固定部１４の溝１４ａから第二の固定部の溝１５ａまでの長さＬ３は、基板３の前後方向の長さと略同じであるため、フロントキャビネット５をバックキャビネット６とネジ止めすると、基板３はバックキャビネット６に形成された第二の固定部１５の溝１５ａに挿入される。このため、基板３は前後方向両端を第一の固定部１４と第二の固定部１５に支持され、幅方向両端を第一のガイド部対１１、１２にて支持されるため、シャーシ７の所定の位置に配置される。
【００４９】
（５）まとめ
基板をシャーシに固定する樹脂成形キャビネットにおいて、上記シャーシから上方へ延設するよう形成され、上記所定幅の基板の幅方向両端で対となって上記基板を挟み込むよう支持する第一のガイド部材対と、上記第一のガイド部材対の内側に位置し、上記シャーシから上方へ延設するよう形成され、上記第一のガイド部材対の少なくとも一方と対をなして上記所定幅の基板より小さい幅の基板を挟み込むよう支持する第二のガイド部材とを具備し、上記シャーシから延設する第二のガイド部材のシャーシ近傍に上記第二のガイド部材を折れ易くするための所定数の貫通穴を形成し、上記第一のガイド部材対に対応する所定の幅の基板を支持するときは、上記第二のガイド部材を切除する。
【００５０】
請求項３に記載の考案は、請求項２に記載の樹脂形成キャビネットであって、上記第一のガイド部材対の略先端部には、同第一のガイド部材対が向かい合う厚み方向に、上記シャーシと略水平に延設するよう形成される第一のレールと、上記第一のレールより上記基板の略厚み分だけ下方に位置し、上記シャーシと略水平に延設するよう形成される第二のレールとを有し、上記第二のガイド部材の略先端部には、上記第一のガイド部材対の少なくとも一方と向かい合う厚み方向に、上記シャーシと略水平に延設するよう形成される第三のレールと、上記第三のレールより上記基板の略厚み分だけ下方に位置し、上記シャーシと略水平に延設するよう形成される第四のレールとを有する構成である。
【００５１】
ようするに、請求項２に記載の樹脂形成キャビネットであって、上記第一のガイド部材対の略先端部には、同第一のガイド部材対が向かい合う厚み方向に、上記シャーシと略水平に延設するよう形成される第一のレールと、上記第一のレールより上記基板の略厚み分だけ下方に位置し、上記シャーシと略水平に延設するよう形成される第二のレールとを有する構成である。また、上記第二のガイド部材の略先端部には、上記第一のガイド部材対の少なくとも一方と向かい合う厚み方向に、上記シャーシと略水平に延設するよう形成される第三のレールと、上記第三のレールより上記基板の略厚み分だけ下方に位置し、上記シャーシと略水平に延設するよう形成される第四のレールとを有する構成である。そのため、上記幅の大きい基板を支持するときは、上記基板の幅方向両縁部周辺を上記第一のガイド部材の第一のレールと第二のレールとの間に挿入して支持し、上記幅の小さい基板を支持するときは、上記基板の幅方向両縁部周辺を上記第一のガイド部材の少なくとも一方が有する上記第一のレールと上記第二のレールとの間と、上記第二のガイド部材の上記第三のレールと上記第四のレールとの間に挿入して支持する。
【００５２】
また、請求項４に記載の考案は、請求項２または請求項３のいずれかに記載の樹脂形成キャビネットであって、上記第二のガイド部材は上記シャーシより斜めに延設するよう形成される構成である。
【００５３】
ようするに、請求項２または請求項３のいずれかに記載の樹脂形成キャビネットであって、上記第二のガイド部材は上記シャーシより切除し易いよう斜めに延設するよう形成される。
【００５４】
請求項５に記載の考案は、請求項２〜請求項４のいずれかに記載の樹脂形成キャビネットであって、上記フロントキャビネットの内壁下方には、上記所定幅の基板の前方を固定する第一の固定部を有し、上記バックキャビネットの内壁下方には、上記所定幅の基板の後方を固定する第二の固定部を有する構成である。
【００５５】
ようするに、請求項２〜請求項４のいずれかに記載の樹脂形成キャビネットであって、上記フロントキャビネットの内壁下方には、上記所定幅の基板の前方を固定する第一の固定部を有し、上記バックキャビネットの内壁下方には、上記所定幅の基板の後方を固定する第二の固定部を有する構造である。そのため、上記所定幅の基板の幅方向両端を上記フロントキャビネットの上記第一のガイド部材対とまたは、上記第一のガイド部材対のどちらか一方と第二のガイド部材とで挟み込むよう支持した後、上記所定幅の基板の前後方向を上記第一の固定部と上記第二の固定部とで固定することで、上記所定幅の基板を上記シャーシの所定の位置に配置する構成である。
【００５６】
なお、本考案は上記実施形態に限られるものでないことは言うまでもない。当業者であれば言うまでもないことであるが、 
・上記実施形態の中で開示した相互に置換可能な部材および構成等を適宜その組み合わせを変更して適用すること 
・上記実施形態の中で開示されていないが、公知技術であって上記実施形態の中で開示した部材および構成等と相互に置換可能な部材および構成等を適宜置換し、またその組み合わせを変更して適用すること 
・上記実施形態の中で開示されていないが、公知技術等に基づいて当業者が上記実施形態の中で開示した部材および構成等の代用として想定し得る部材および構成等と適宜置換し、またその組み合わせを変更して適用すること 
は本考案の一実施形態として開示されるものである。
【図面の簡単な説明】
【００５７】
【図１】フロントキャビネットの外観を斜視図により示した図である。
【図２】第一のガイド部材の要部を拡大して示した図である。
【図３】第二のガイド部材の要部を拡大して示した図である。
【図４】第一のガイド部材対にて幅Ｗ１の基板を支持した図である。
【図５】第一のガイド部材と第二のガイド部材にて幅Ｗ２の基板を支持した図である。
【図６】シャーシから斜めに延設した第二のガイド部材の図である。
【図７】フロントキャビネットに形成される第一の固定部の図である。
【図８】バックキャビネットに形成される第二の固定部の図である。
【図９】筐体の所定の位置に配置される基板の図である。
【図１０】ブラウン管型テレビジョン装置の斜視図である。
【図１１】基板のブロック構成図である。
【符号の説明】
【００５８】
１…筐体
２…ブラウン管
３…基板
３ａ…チューナ
３ｂ…クロマＩＣ回路
３ｃ…音声出力部
３ｄ…映像信号処理部
３ｅ…駆動回路
３ｆ…制御部
３ｇ…ＩＩＣバス
３ｈ…リモコン
４…スピーカ
５…フロントキャビネット
６…バックキャビネット
７…シャーシ
１０…ブラウン管型テレビジョン装置
１１…第一のガイド部材
１１ａ…第一のレール
１１ｂ…第二のレール
１２…第一のガイド部材
１２ａ…第一のレール
１２ｂ…第二のレール
１３…第二のガイド部材
１３ａ…第三のレール
１３ｂ…第四のレール
１３ｃ、１３ｄ、１３ｅ…貫通穴
１３ｆ、１３ｇ、１３ｈ…連結部
１４…第一の固定部
１４ａ…溝
１４ｂ…上レール
１４ｃ…下レール
１５…第二の固定部
１５ａ…溝
１５ｂ…上レール
１５ｃ…下レール
【図１】
0003119793.tif 000003
【図２】
0003119793.tif 000004
【図３】
0003119793.tif 000005
【図４】
0003119793.tif 000006
【図５】
0003119793.tif 000007
【図６】
0003119793.tif 000008
【図７】
0003119793.tif 000009
【図８】
0003119793.tif 000010
【図９】
0003119793.tif 000011
【図１０】
0003119793.tif 000012
【図１１】
0003119793.tif 000013